(57)【要約】【課題】従来においては、デジタル回路基板から送信される信号を、少ない信号数にしてメモリカードへ伝達することが開示されておらず、発明が待たれていた。【解決手段】この発明のデジタル放送受信装置は、デジタル放送信号処理部と、デジタル放送信号処理部側に設けられる第１のシリアル通信インターフェース部と、外部から接続される記憶媒体に記憶されているデータを抽出処理する記憶媒体データ処理部と、記憶媒体データ処理部側に設けられる第２のシリアル通信インターフェース部と、第１のシリアル通信インターフェース部と第２のシリアル通信インターフェース部をシリアル通信で結ぶシリアル通信手段とを備えるように構成している。【選択図】　図３
2004112570.tif 000002
【特許請求の範囲】
【請求項１】
着脱可能な記憶媒体が外部から接続されるデジタル放送受信装置において、
受信されたデジタル放送信号を映像信号へ変換処理するデジタル放送信号処理部と、
前記デジタル放送信号処理部側に設けられ、シリアル信号が入力された場合はパラレル信号へ変換して出力し、パラレル信号が入力された場合はシリアル信号へ変換して出力する第１のシリアル通信インターフェース部と、
前記デジタル放送信号処理部とは離間して設けられ、外部から接続される記憶媒体に記憶されているデータを抽出処理する記憶媒体データ処理部と、
前記記憶媒体データ処理部側に設けられ、シリアル信号が入力された場合はパラレル信号へ変換して出力し、パラレル信号が入力された場合はシリアル信号へ変換して出力する第２のシリアル通信インターフェース部と、
前記第１のシリアル通信インターフェース部と前記第２のシリアル通信インターフェース部をシリアル通信で結ぶシリアル通信手段とを備えることを特徴とするデジタル放送受信装置。
【請求項２】
前記デジタル放送信号処理部と前記第１のシリアル通信インターフェース部は第１の基板上に構成され、また、前記記憶媒体データ処理部と前記第２のシリアル通信インターフェース部は前記第１の基板とは離間して設けられた第２の基板上に構成されることを特徴とする請求項１に記載のデジタル放送受信装置。
【請求項３】
着脱可能な記憶媒体が外部から接続されるデジタル放送受信装置において、
受信されたデジタル放送信号を映像信号へ変換処理する映像信号変換処理手段と、シリアル信号が入力された場合はパラレル信号へ変換して出力し、パラレル信号が入力された場合はシリアル信号へ変換して出力する第１のシリアル通信インターフェース部とを備えたデジタル放送信号処理部と、
外部から接続される記憶媒体が装着される記憶媒体装着部と、前記装着された記憶媒体に記憶されているデータを抽出する記憶媒体データ抽出部と、前記記憶媒体データ抽出部で抽出されたデータが入力され、シリアル信号が入力された場合はパラレル信号へ変換して出力し、パラレル信号が入力された場合はシリアル信号へ変換して出力する第２のシリアル通信インターフェース部とを備えた記憶媒体データ処理部と、
前記第１のシリアル通信インターフェース部と前記第２のシリアル通信インターフェース部をシリアル通信で結ぶシリアル通信手段とを備えることを特徴とするデジタル放送受信装置。
【請求項４】
前記記憶媒体はメモリカードであることを特徴とする請求項１乃至３に記載のデジタル放送受信装置。
【請求項５】
前記記憶媒体装着部はメモリカードホルダーであり、前記記憶媒体データ抽出部はメモリカードコントローラであることを特徴とする請求項４に記載のデジタル放送受信装置。
【請求項６】
前記記憶媒体装着部は複数の記憶媒体が接続されるように構成されることを特徴とする請求項５に記載のデジタル放送受信装置。
【請求項７】
外部から接続された記憶媒体に記憶されているデータを抽出処理するステップと、
前記抽出処理されたデータを受信し、シリアル信号の形態へ変換して出力するステップと、
前記出力されたシリアル信号の形態のデータを受信し、パラレル信号の形態へ変換して出力するステップと、
前記出力されたパラレル信号の形態のデータを受信し、映像信号へ変換処理するステップを備えたことを特徴とする映像表示方法。
【発明の詳細な説明】
【０００１】
【発明の属する技術分野】
この発明はデジタル放送受信装置に関し、特に着脱可能な記憶媒体が外部から接続されるデジタル放送受信装置に関する。
【０００２】
【従来の技術】
近年、記録や再生機能を備えた機器に接続される着脱可能な記憶媒体として、メモリカードが用いられている。メモリカードとは、フラッシュメモリと呼ばれる不揮発性メモリを内蔵したカード状の記録媒体である。
【０００３】
これらメモリカードには、ＳＳＦＤＣ（Ｓｍａｒｔｍｅｄｉａ（登録商標））、コンパクトフラッシュ（登録商標）、ＳＤメモリカード（登録商標）、メモリスティック（登録商標）など、複数の形態があり、それぞれ、規格が存在する。
【０００４】
これらのメモリカードは、デジタルスチルカメラ、携帯型音楽プレーヤーなどに広く利用されている。
【０００５】
一方、２０００年１２月から、放送衛星を利用したＢＳデジタル放送が開始された。それに伴い、ＢＳデジタル放送を受信する受信装置が商品化されている。
【０００６】
このＢＳデジタル放送受信装置の中には、上記メモリカードが装着されるスロット（メモリカードスロット）を具備したものがある。
【０００７】
このメモリカードスロットに、デジタルスチルカメラで撮影したメモリカードを装着することにより、デジタルカメラで撮像した画像をテレビ画面に表示する等に利用されている。
【０００８】
メモリカードスロットは、ユーザーがメモリカードを出し入れする操作上の関係から、デジタル放送受信装置の前面に設けられるのが一般的である。これに伴い、メモリカードに記憶されているデータを抽出処理するデータ処理部もメモリカード近傍に配置される。
【０００９】
一方、デジタル放送受信装置内で受信されたデジタル放送信号を映像信号へ変換処理するデジタル回路を構成するメイン基板は、外部からのアンテナ入力を受け、さらに高速デジタル信号を直接デジタル放送受信装置の背面に端子を配置するために、デジタル放送受信装置本体の背面に配置されるのが一般的である。
【００１０】
そして、メモリカードが実装され、メモリカードに記憶されているデータを抽出処理するメモリカード基板（カード基板）と、デジタル放送信号を映像信号へ変換処理するメイン基板は、接続ケーブルを用いて接続されていた。
【００１１】
上記メイン基板（すなわちデジタル回路基板）上には高速のデジタル信号処理回路が構成されている。このため、スプリアス対策（アナログ信号処理を行う他の回路・基板へのノイズ放射を抑制する対策）等のために、デジタル回路基板（メイン基板）は金属板にてシールドされることが一般的である。
【００１２】
しかし、デジタル放送受信装置においては、上述したように、メイン基板のスプリアス対策の一環として、メモリカード基板から出力される信号にノイズ除去のためのフィルタ（ＥＭＩフィルタ）を挿入する必要があった。このため、コスト増加を招くという問題があった。また、フィルタで除去し切れない残留ノイズ成分が、他のアナログ信号処理回路に対して妨害波の原因となり、他のアナログ信号処理性能を劣化させるという問題があった。
【００１３】
従来において、ＥＭＩノイズを減少させるクロック周波数伝送システムについて記載された文献としては、特開２０００−１６６８４４が開示されている。
【００１４】
上記文献において、発振回路からは基本周波数のみで高調波成分を含まないまたは少ないクロック周波数信号を伝送することにより、機能ブロック回路間を伝搬する伝送波形に高調波成分を殆ど含まないようにすることができるので、ＥＭＩノイズを極力減少させることができることが開示されている。
【００１５】
しかしながら、デジタル放送受信装置において、デジタル信号を処理するデジタル回路基板（メイン基板）から送信される信号を少ない信号数に変換してメモリカードへ伝達すること、また、メモリカードから読み出されたデータを少ない信号数に変換してデジタル回路基板へ伝達することは開示されておらず、実用上の点からはまだ充分とは言えなかった。
【００１６】
【発明が解決しようとする課題】
上記のように従来のデジタル放送受信装置においては、デジタル信号を処理するデジタル回路基板（メイン基板）から送信される信号を少ない信号数に変換してメモリカードへ伝達すること、また、メモリカードから読み出されたデータを少ない信号数に変換してデジタル回路基板へ伝達することは開示されておらず、実用上の意味での発明が望まれていた。
【００１７】
【課題を解決するための手段】
この発明に係るデジタル放送受信装置は、受信されたデジタル放送信号を映像信号へ変換処理するデジタル放送信号処理部と、前記デジタル放送信号処理部側に設けられ、シリアル信号が入力された場合はパラレル信号へ変換して出力し、パラレル信号が入力された場合はシリアル信号へ変換して出力する第１のシリアル通信インターフェース部と、前記デジタル放送信号処理部とは離間して設けられ、外部から接続される記憶媒体に記憶されているデータを抽出処理する記憶媒体データ処理部と、前記記憶媒体データ処理部側に設けられ、シリアル信号が入力された場合はパラレル信号へ変換して出力し、パラレル信号が入力された場合はシリアル信号へ変換して出力する第２のシリアル通信インターフェース部と、前記第１のシリアル通信インターフェース部と前記第２のシリアル通信インターフェース部をシリアル通信で結ぶシリアル通信手段とを備えるように構成している。
【００１８】
【発明の実施の形態】
以下、図面を用いてこの発明の実施の形態を説明する。
【００１９】
図１はこの発明の実施の形態に係るデジタル放送受信装置の概観図である。
【００２０】
符号３０はデジタル放送受信装置本体であり、表示装置と組み合わされている。符号１１はメモリカードである。上記において説明したように、メモリカード１１は、フラッシュメモリと呼ばれる不揮発性メモリを内蔵したカード状の記録媒体である。符号３１はメモリカード１１が装着されるスロット（メモリカードスロット）である。
【００２１】
メモリカード１１が外部からメモリカードスロット３１に接続（装着）されると、メモリカードに記録されたデータが読み出され、後述する処理が行われ、デジタル放送受信装置の表示部へ表示される。また、デジタル放送受信装置３０内で処理されたデータを、メモリカード１１へ記録することも可能である。
メモリカード１１は、例えば、ＳＳＦＤＣ（Ｓｍａｒｔｍｅｄｉａ（登録商標））、コンパクトフラッシュ（登録商標）、ＳＤメモリカード（登録商標）、メモリスティック（登録商標）を使用することが可能である。
【００２２】
例えば、メモリカードスロット１１には、デジタルスチルカメラ等で撮影したメモリカード１１を装着することにより、メモリカードに記憶されている画像等のデータを、表示画面に表示することができる。
【００２３】
メモリカードスロット３１は、ユーザーがメモリカード１１を出し入れするための操作上の関係（ユーザーの利便性）から、デジタル放送受信装置の前面、もしくは上面や側面のユーザーが出し入れし易い位置に設けられる。
【００２４】
図２はこの発明の実施の形態に係るデジタル放送受信装置のメイン基板とメモリカード基板の接続の様子を示す概観図である。
【００２５】
符号４０はメイン基板である。メイン基板４０は、外部からのアンテナ入力（デジタル放送受信部：図示なし）を受け、受信された高速デジタル放送信号を映像信号へ変換処理するデジタル回路を備えている。アンテナ入力端子はデジタル放送受信装置本体の背面側に配置される。メイン基板４０はアンテナ入力端子の近くに配置されることが望ましい。このため、メイン基板４０は、デジタル放送受信装置本体の背面側に配置される。
【００２６】
符号５０はメモリカード基板である。符号１０はメモリカード１１が接続されるメモリカードホルダーである。メモリカード基板５０はメモリカードホルダー１０に接続されたメモリカード１１から記憶されているデータを抽出処理する。また、メモリカード１１にデータを記憶する。
【００２７】
メモリカードホルダー１０は、上記のように、ユーザーの利便性を考慮してデジタル放送受信装置３０の前面、もしくは上面や側面等のユーザーが出し入れし易い位置に設けられる。このため、メモリカード基板５０はデジタル放送受信装置３０内の前面、もしくは上面や側面のユーザーが出し入れし易い位置の近傍に配置される。
【００２８】
上記説明したようにメイン基板４０はデジタル放送受信装置３０本体の背面側に配置され、メモリカード基板５０はデジタル放送受信装置３０内の前面、もしくは上面や側面等に配置される。このため、メイン基板４０とメモリカード基板５０は互いに離間している。
【００２９】
符号６はケーブルである。互いに離間したメイン基板４０とメモリカード基板５０は、ケーブル６で接続される。
【００３０】
図３はこの発明の実施の形態に係るデジタル放送受信装置の構成を示すブロック図である。
【００３１】
まずメイン基板４０について説明する。
【００３２】
符号１はＣＰＵ（Ｃｅｎｔｒａｌ　ｍｉｃｒｏ　ｐｒｏｃｅｓｓｏｒ）、符号２はプログラムメモリ、符号３は作業メモリ、符号５はシリアル通信インターフェース、符号４はＣＰＵ１、プログラムメモリ２、作業メモリ３、シリアル通信インターフェース５間の通信をパラレル通信接続する通信バスである。符号４０はこれらを構成するメイン基板である。
【００３３】
メイン基板４０は、上記のように、デジタル放送受信装置３０本体の背面側に配置される。
【００３４】
通信バス４を介してＣＰＵ１、プログラムメモリ２、作業メモリ３が接続されている。デジタル放送受信手段（図示なし）は通信バス４に接続されている。デジタル放送受信手段で受信されたデジタル放送は、プログラムメモリ２に記録されたプログラムに従って全体の制御を行うＣＰＵ１に制御され、適宜作業メモリ３を使用して映像信号へ変換処理される。
【００３５】
また、上記のように、シリアル通信インターフェース５は通信バス４を介してＣＰＵ１、プログラムメモリ２、作業メモリ３と接続されている。シリアル通信インターフェース５から出力されたデータも同様に、プログラムメモリ２に記録されたプログラムに従って全体の制御を行うＣＰＵ１に制御され、適宜作業メモリ３を使用して映像信号へ変換処理される。
【００３６】
シリアル通信インターフェース５は入力されたシリアル信号をパラレル信号へ変換、あるいは入力されたパラレル信号をシリアル信号へ変換して出力する。通信バス４からシリアル通信インターフェース５へ入力されるデータはパラレル信号であり、シリアル信号へ変換してメイン基板４０外部へ出力する。また、メイン基板４０の外部からシリアル通信インターフェース５へシリアル信号が入力されるとパラレル信号へ変換してメイン基板４０外部へ出力する。
次にメモリカード基板５０について説明する。
【００３７】
符号１１はメモリカードである。符号１０はメモリカードが外部から接続されるメモリカードホルダーである。符号８はメモリカードコントローラであり、メモリカードホルダー１０と接続手段９を介して電気的に接続されている。メモリカードコントローラ８は、メモリカードホルダー１０に接続されるメモリカード１１に記憶されているデータを抽出処理する。また、反対に、メモリカードコントローラ８に供給されたデータをメモリカード１１に記憶する。
【００３８】
符号７はシリアル通信インターフェースである。シリアル通信インターフェースはメモリカードコントローラ８と接続手段１２を介して電気的に接続されている。
【００３９】
メモリカード基板５０は、メモリカードホルダー１０、メモリカードコントローラ８、接続手段９、シリアル通信インターフェース７、接続手段１２を構成し、パラレル通信で接続されている。
【００４０】
そして、メモリカード基板５０は、上記のように、デジタル放送受信装置３０内の前面、もしくは上面や側面等に配置される。
また、上記のように、メイン基板４０とメモリカード基板５０は互いに離間しており、ケーブル６で接続されている。ケーブル６はメイン基板４０を構成するシリアル通信インターフェース５とメモリカード基板５０を構成するシリアル通信インターフェース７をシリアル通信で接続している。
【００４１】
このように構成することによって、この発明の実施の形態によれば、デジタル放送受信装置のように、ＣＰＵが搭載されたデジタル基板と、メモリカード基板とが、ケーブルを介して離間して配置されるような構成構成においても、ケーブル接続される信号本数をシリアルバス信号に変換することで削減できるため、ＥＭＩノイズ対策用のフィルタ回路を簡略化することができる。また、残留成分として放出されるＥＭＩノイズを軽減することができる。このため、デジタル放送受信装置３０内で処理されるアナログ信号の性能を向上することができる。
【００４２】
図４はこの発明の、他の実施の形態に係るデジタル放送受信装置の構成を示すブロック図である。
【００４３】
上記説明と重複する記載については同一の符号を付して説明を省略する。メイン基板４０は上記発明の実施の形態と同一の構成であるため、メモリカード基板５０について説明する。
【００４４】
この発明の実施の形態においては、デジタル放送受信装置３０のメモリ基板５０が２つのメモリカードホルダーを備える。
【００４５】
符号１１Ａはメモリカード１である。符号１０Ａはメモリカードが外部から接続されるメモリカードホルダーである。符号８Ａはメモリカードコントローラであり、メモリカードホルダー１０Ａと接続手段９Ａを介して電気的に接続されている。メモリカードコントローラ８Ａは、メモリカードホルダー１０Ａに接続されるメモリカード１１Ａに記憶されているデータを抽出処理する。また、反対に、メモリカードコントローラ８Ａに供給されたデータをメモリカード１１Ａに記憶する。
【００４６】
符号１１Ｂはメモリカード２である。符号１０Ｂはメモリカードが外部から接続されるメモリカードホルダーである。符号８Ｂはメモリカードコントローラであり、メモリカードホルダー１０Ｂと接続手段９Ｂを介して電気的に接続されている。メモリカードコントローラ８Ｂは、メモリカードホルダー１０Ｂに接続されるメモリカード１１Ｂに記憶されているデータを抽出処理する。また、反対に、メモリカードコントローラ８Ｂに供給されたデータをメモリカード１１Ｂに記憶する。
【００４７】
ここで、メモリカード１およびメモリカード２は、例えば、ＳＳＦＤＣ（Ｓｍａｒｔｍｅｄｉａ（登録商標））、コンパクトフラッシュ（登録商標）、ＳＤメモリカード（登録商標）、メモリスティック（登録商標）等から選択される同一種類のメモリカードであってもよいし、異なる種類のメモリカードであってもよい。例えば、メモリカード１およびメモリカード２を共にＳＳＦＤＣ（Ｓｍａｒｔｍｅｄｉａ（登録商標））としてもよい。
【００４８】
このようにメモリカードを複数接続することで、デジタル放送受信装置がメモリカード間の通信を媒介することが可能となる。
また、メモリカード１をＳＳＦＤＣ（Ｓｍａｒｔｍｅｄｉａ（登録商標））とし、メモリカード２をコンパクトフラッシュ（登録商標）としてもよい。
【００４９】
このように異なる種類のメモリカードを接続することで、デジタル放送受信装置が異なる種類のメモリカード間の通信を媒介することが可能となる。
符号７はシリアル通信インターフェースである。
【００５０】
シリアル通信インターフェースはメモリカードコントローラ８Ａと接続手段１２Ａを介して、また、メモリカードコントローラ８Ｂと接続手段１２Ｂを介して電気的に接続されている。
【００５１】
すなわち、メモリカード基板５０は、メモリカードホルダー１０Ａ、メモリカードコントローラ８Ａ、接続手段９Ａが接続手段１２Ａを介して、メモリカードホルダー１０Ｂ、メモリカードコントローラ８Ｂ、接続手段９Ｂが接続手段１２Ｂを介して、シリアル通信インターフェース７にパラレル通信で接続されている。
【００５２】
そして、メモリカード基板５０は、上記のように、デジタル放送受信装置３０内の前面、もしくは上面や側面等に配置される。
また、上記のように、メイン基板４０とメモリカード基板５０は互いに離間しており、ケーブル６で接続されている。ケーブル６はメイン基板４０を構成するシリアル通信インターフェース５とメモリカード基板５０を構成するシリアル通信インターフェース７をシリアル通信で接続している。
【００５３】
このように構成することによって、この発明の実施の形態によれば、デジタル放送受信装置のように、ＣＰＵが搭載されたデジタル基板と、メモリカード基板とが、ケーブルを介して離間して配置されるような構成構成においても、ケーブル接続される信号本数をシリアルバス信号に変換することで削減できるため、ＥＭＩノイズ対策用のフィルタ回路を簡略化することができる。また、残留成分として放出されるＥＭＩノイズを軽減することができる。このため、デジタル放送受信装置３０内で処理されるアナログ信号の性能を向上することができる。
【００５４】
図５は、シリアル通信を使用しない場合のデジタル放送受信装置の信号本数を説明するための図である。図５は、ＳＳＦＤＣ（ＳｍａｒｔＭｅｄｉａ（登録商標））規格で使用される信号の一覧表である。これらの情報は例えば、インターネットから入手することができる（　ＨＹＰＥＲＬＩＮＫ　”ｈｔｔｐ：／／ｗｗｗ．ｓｓｆｄｃ．ｏｒ．ｊｐ／ｊａｐａｎｅｓｅ／ｉｎｄｅｘ．ｈｔｍ”　ｈｔｔｐ：／／ｗｗｗ．ｓｓｆｄｃ．ｏｒ．ｊｐ／ｊａｐａｎｅｓｅ／ｉｎｄｅｘ．ｈｔｍ参照）。
【００５５】
この図から、電源Ｖｃｃは端子番号１２番および２２番の合計２本、グランドＶｓｓは端子番号１番、１０番、１１番の合計３本、その他の信号線はこれらを除く合計１５本である。
【００５６】
すなわち、この発明の実施の形態を用いる以前のパラレル通信においては、ＳＳＦＤＣ（ＳｍａｒｔＭｅｄｉａ（登録商標））の場合は、信号（メモリバス信号）の本数が合計２０本必要であった。
【００５７】
図６は、シリアル通信を使用しない場合のデジタル放送受信装置の信号本数を説明するための図である。図６は、コンパクトフラッシュ（登録商標）カード規格で使用される信号の一覧表である。
【００５８】
この図から、電源Ｖｃｃは端子番号１３番および３８番の合計２本、ＧＮＤは端子番号１番、５０番の合計２本、その他の信号線はこれらを除く合計４６本である。
【００５９】
すなわち、この発明の実施の形態を用いる以前のパラレル通信においては、コンパクトフラッシュ（登録商標）の場合は、信号（メモリバス信号）の本数が合計４８本必要であった。
【００６０】
図７は、この発明の実施の形態に係るデジタル放送受信装置の信号本数の低減を説明する図である。
【００６１】
この発明の実施の形態においては、シリアル通信インターフェース部５およびシリアル通信インターフェース部７として、シリアルバス規格の一つであるＵＳＢ（Ｕｎｉｖｅｒｓａｌ　Ｓｅｒｉａｌ　Ｂｕｓ）に対応したインターフェース（ＩＣ）を使用する。図７は、ＵＳＢの信号表であり、インターネット（ｈｔｔｐ：／／ｗｗｗ．ｕｓｂ．ｏｒｇ／　参照）から入手することができる。
【００６２】
図７からわかるように、シリアル通信インターフェース部５およびシリアル通信インターフェース部７としてＵＳＢを使用すると、信号（メモリバス信号）の本数を合計４本とすることができる。すなわち、パラレル通信におけるＳＳＦＤＣ（ＳｍａｒｔＭｅｄｉａ（登録商標））における信号の本数（合計２０本）あるいはコンパクトフラッシュ（登録商標）における信号の本数（合計４８本）を４本に、低減することができる。
【００６３】
図８は、この発明の実施の形態に係るデジタル放送受信装置の信号本数の低減を説明する図である。
【００６４】
この発明の実施の形態においては、シリアル通信インターフェース部５およびシリアル通信インターフェース部７として、シリアルバス規格の一つであるＩ２Ｃバスに対応したインターフェース（ＩＣ）を使用する。図８は、Ｉ２Ｃバスの信号表である。
【００６５】
図８からわかるように、シリアル通信インターフェース部５およびシリアル通信インターフェース部７としてＩ２Ｃバスを使用すると、信号（メモリバス信号）の本数を合計３本とすることができる。すなわち、パラレル通信におけるＳＳＦＤＣ（ＳｍａｒｔＭｅｄｉａ（登録商標））における信号の本数（合計２０本）あるいはコンパクトフラッシュ（登録商標）における信号の本数（合計４８本）を３本に、低減することができる。
【００６６】
図９は、この発明の実施の形態に係るデジタル放送受信装置の信号本数の低減を説明する図である。
【００６７】
この発明の実施の形態においては、シリアル通信インターフェース部５およびシリアル通信インターフェース部７として、シリアルバス規格の一つであるＪＩＳ　Ｃ６３６１（通称　ＲＳ−２３２Ｃ）に対応したインターフェース（ＩＣ）を使用する。図９は、ＲＳ−２３２Ｃの信号表である。
【００６８】
図９からわかるように、シリアル通信インターフェース部５およびシリアル通信インターフェース部７としてＲＳ−２３２Ｃを使用すると、信号（メモリバス信号）の本数を合計９本とすることができる。すなわち、パラレル通信におけるＳＳＦＤＣ（ＳｍａｒｔＭｅｄｉａ（登録商標））における信号の本数（合計２０本）あるいはコンパクトフラッシュ（登録商標）における信号の本数（合計４８本）を９本に、低減することができる。
【００６９】
上記説明したように、この発明の実施の形態は、デジタル放送受信装置において、ＣＰＵ、プログラムメモリ、作業メモリ、シリアル通信インターフェース（シリアル通信コントローラ）が実装された第一の基板と、シリアル通信コントローラとメモリカードコントローラとメモリカードホルダーが実装された第二の基板とを、シリアルバスインタフェースを介して接続し、メモリカードデータをシリアルバス信号で転送させることにより、基板間の接続に必要な信号本数を低減させることができる。そして、接続ケーブルから外部へ放射されるＥＭＩノイズを低減することができる。また、ノイズ対策部品点数を削減することができるので、低コストなメモリカードインタフェースを提供することができる。
【００７０】
尚、上記説明においては、デジタル放送受信装置の例として、ブラウン管やプラズマディスプレイパネル等の表示装置を合わせ持ったデジタル放送受信装置内蔵テレビジョンタイプを用いて説明したが、この発明はこれにとらわれず、既存のテレビジョン装置に構成されている表示装置へ接続してデジタル放送受信装置能を追加するためのセットトップボックスタイプ（ＳＴＢタイプ）においても適応可能である。
【００７１】
【発明の効果】
上記説明したように、この発明の実施の形態によれば、デジタル放送受信装置のようにＣＰＵが搭載されたデジタル基板と、メモリカード基板とが、ケーブルを介して離間した場所に配置されるような構成において、ケーブル接続される信号本数をシリアルバス信号に変換して削減することができる効果がある。
【００７２】
また、ＥＭＩノイズ対策用のフィルタ回路を簡略化できる効果がある。
【００７３】
また、残留成分として放出されるＥＭＩノイズを軽減できる効果がある。このため、デジタル放送受信装置内のアナログ信号の性能を向上させることができる効果がある。
【００７４】
また、他の実施の形態によれば、複数のメモリカードスロットを構成することでデジタル放送受信装置がメモリカード間の通信を媒介することが可能となる効果がある。
【図面の簡単な説明】
【図１】この発明の実施の形態に係るデジタル放送受信装置の概観図。
【図２】この発明の実施の形態に係るメイン基板とメモリカード基板の接続の様子を示す概観図。
【図３】この発明の実施の形態に係るデジタル放送受信装置の構成を示すブロック図。
【図４】この発明の、他の実施の形態に係るデジタル放送受信装置の構成を示すブロック図。
【図５】シリアル通信を使用しない場合の信号本数を説明するための図。
【図６】シリアル通信を使用しない場合の信号本数を説明するための図。
【図７】この発明の実施の形態に係る信号本数の低減を説明する図。
【図８】この発明の実施の形態に係る信号本数の低減を説明する図。
【図９】この発明の実施の形態に係る信号本数の低減を説明する図。
【符号の説明】
１　・・・　ＣＰＵ
２　・・・　プログラムメモリ
３　・・・　作業メモリ
４　・・・　通信バス
５　・・・　シリアル通信インターフェース
６　・・・　ケーブル
７　・・・　シリアル通信インターフェース
８　・・・　メモリカードコントローラ
１０　・・・　メモリカードホルダー
１１　・・・　メモリカード
３０　・・・　デジタル放送受信装置
３１　・・・　メモリカードスロット
４０　・・・　メイン基板
５０　・・・　メモリカード基板
【図１】
2004112570.tif 000003
【図２】
2004112570.tif 000004
【図３】
2004112570.tif 000005
【図４】
2004112570.tif 000006
【図５】
2004112570.tif 000007
【図６】
2004112570.tif 000008
【図７】
2004112570.tif 000009
【図８】
2004112570.tif 000010
【図９】
2004112570.tif 000011